(57)【特許請求の範囲】
【請求項１】
注射器の先端に設けられたジェット噴射口と、前記ジェット噴射口に連通するシリンダと、薬液が入っているカートリッジを収容するカートリッジ収容部とを有する噴射部と、
前記シリンダ内を前進及び後退するピストンと、
を備え、
前記ピストンの後退により生じた前記シリンダ内の空間へ前記カートリッジ収容部に収容されたカートリッジから薬液が送り込まれるとともに、前記シリンダ内の空間に送り込まれた薬液が前記ピストンの前進により前記ジェット噴射口から噴出するように構成された噴射式注射器において、
前記カートリッジ収容部は、複数本のカートリッジが収容できるとともに、収容されたカートリッジを前記シリンダへ薬液が送り込める位置にセットすることができる構成となっており、
前記ピストンの前進・後退を行うピストン移動手段部と、カートリッジの薬液をシリンダへ送り出すシャフトを有する薬液送出手段とを備えた操作部とからなり、
カートリッジ収容部に複数本のカートリッジが収容されている前記噴射部と前記操作部とを分離可能に結合する結合構造が前記噴射部と前記操作部との間に備わっており、
前記カートリッジ収容部に複数本のカートリッジを全て収容した状態において前記シリンダへ薬液が送り込める位置にセットされたカートリッジを他のカートリッジに取り替える構成をも備えている噴射式注射器。
【発明の詳細な説明】
【０００１】
【発明の属する技術分野】
この発明は、薬液をジェット噴射口から噴出させる針無注射用の噴射式注射器に係り、特に使用者にとって非常に便利な針無注射方式を実現するための技術に関する。
【０００２】
【従来の技術】
噴射式注射器は、注射器の先端に設けられたジェット噴射口から薬液をジェット噴射することにより薬液の皮下注入を行う注射器である。つまり、噴射式注射器による注射は、針無注射であり、針有注射の場合に比べると、注射痕や、痛みの軽減が期待できる、針刺し事故が起こる心配がない等の数々の利点があるので、医療施設のみならず、例えば糖尿病患者がインスリンを日常的に自己注射するのにも使われている。
【０００３】
従来の噴射式注射器では、針無注射を１回おこなう毎に注射器とは別体の薬液バイアル（薬液容器）から注射器内に薬液を吸引する面倒な操作が必要である。また、インスリンを日常的に自己注射する必要のある糖尿病患者の場合には、外出の際も注射器と別体の薬液バイアルとの両方を携帯しなければならないが、注射器または薬液バイアルの何れか一方だけを携帯して他方を携帯することを忘れてインスリンが打てない場合も発生する。
【０００４】
一方、本願出願人は、特開平１１−３０９２１１号においてカートリッジタイプの噴射式注射器を提案している。本願出願人の先願に係る噴射式注射器は薬液が入っているカートリッジを装填できる構成となっている。即ち、注射器と、薬液バイアルに相当するカートリッジとが一体的に装填されているので、針無注射を行う毎に注射器とは別体の薬液バイアルから注射器内に薬液を吸引する面倒な操作が不要となる上に、注射器または薬液バイアルの何れか一方だけを携帯して他方を携帯し忘れるようなことも起こらない。
【０００５】
【発明が解決しようとする課題】
しかしながら、本願出願人の先願に係る噴射式注射器の場合でも、以下の点において使用者にとって便利さを欠くという問題がある。即ち、薬液が入っているカートリッジを１本しか装填することができないので、カートリッジの薬液が途中で切れたり、或いは、種類の違う薬液が必要な場合に対しては、旨く対応することができないという点である。
この発明は、上記事情に鑑み、使用者にとって非常に便利な針無注射方式を提供することのできる噴射式注射器を提供することを課題とする。
【０００６】
【課題を解決するための手段】
上記の目的を達成するため、請求項１記載の発明に係る噴射式注射器は、注射器の先端に設けられたジェット噴射口と、前記ジェット噴射口に連通するシリンダと、薬液が入っているカートリッジを収容するカートリッジ収容部とを有する噴射部と、前記シリンダ内を前進及び後退するピストンと、を備え、前記ピストンの後退により生じた前記シリンダ内の空間へ前記カートリッジ収容部に収容されたカートリッジから薬液が送り込まれるとともに、前記シリンダ内の空間に送り込まれた薬液が前記ピストンの前進により前記ジェット噴射口から噴出するように構成された噴射式注射器において、前記カートリッジ収容部は、複数本のカートリッジが収容できるとともに、収容されたカートリッジを前記シリンダへ薬液が送り込める位置にセットすることができる構成となっており、前記ピストンの前進・後退を行うピストン移動手段部と、カートリッジの薬液をシリンダへ送り出すシャフトを有する薬液送出手段とを備えた操作部とからなり、カートリッジ収容部に複数本のカートリッジが収容されている前記噴射部と前記操作部とを分離可能に結合する結合構造が前記噴射部と前記操作部との間に備わっており、
前記カートリッジ収容部に複数本のカートリッジを全て収容した状態において前記シリンダへ薬液が送り込める位置にセットされたカートリッジを他のカートリッジに取り替える構成をも備えている。
【０００８】
また、請求項３の発明は、請求項１または２に記載の噴射式注射器において、カートリッジ収容部に複数本のカートリッジを全て収容した状態においてシリンダへ薬液が送り込める位置にセットされたカートリッジを他のカートリッジに切り換えるカートリッジ切換手段をも備えている。
【０００９】
〔作用〕
次に、この発明に係る噴射式注射器を使用して針無注射を行う際の作用を説明する。
この発明の噴射式注射器による針無注射の場合、薬液が入っているカートリッジがシリンダへ薬液を送り込める位置にセットされた状態にしておき、先ずピストンを後退させてから、カートリッジからピストンの後退により生じたシリンダ内の空間へ薬液を送り込んだ後、注射箇所にジェット噴射口を押し当てた状態でピストンを急速に前進させる。そうするとシリンダ内の薬液がピストンに押されてジェット噴射口から勢いよく噴出して薬液は皮下に注入される。
即ち、この発明の噴射式注射器は、注射器と薬液容器が一体的に装填されるカートリッジタイプであるので、針無注射を行う毎に注射器とは別体の薬液バイアルから注射器内に薬液を吸引する面倒な操作が不要となる上に、注射器または薬液バイアルの何れか一方だけを携帯して他方を携帯し忘れるようなことも起こらない。
【００１０】
そして、この発明の噴射式注射器では、カートリッジ収容部が、複数本のカートリッジが収容できるとともに、収容されたカートリッジをシリンダへ薬液が送り込める位置にセットすることができる構成となっており、予備のカートリッジ或いは種類の違う薬液の入っているカートリッジもカートリッジ収容部に収容することにより、同じ一つの注射器に実質的に一体化させられるので、カートリッジの薬液が途中で切れたり、或いは、種類の違う薬液が必要な場合でも、予備のカートリッジや種類の違う薬液の入っているカートリッジをシリンダへ薬液が送り込める位置にセットして速やかに注射を行うことができる。
【００１１】
また、複数本のカートリッジを注射器に一体的に装填する場合、ジェット噴射口とシリンダおよびカートリッジ収容部とを備えているとともにカートリッジ収容部に複数本のカートリッジが収容されている噴射部を、ピストンの前進・後退を行うピストン移動手段部とカートリッジの薬液をシリンダへ送り出す薬液送出手段とを備えた操作部に、噴射部と操作部の間に設けられた結合構造によって結合するだけである。また、注射器に一体化させられている複数本のカートリッジを注射器から離脱させる場合、噴射部を操作部から外して噴射部と操作部とを分離するだけである。
【００１２】
このように、複数のカートリッジの一体的な装填・離脱が噴射部と操作部との結合・分離操作だけで一挙に行えるので、例えば、カートリッジ収容部に複数本のカートリッジが収容されている噴射部だけを予めスペアとして準備しておき、古い噴射部を新しい噴射部に付け替えるだけでカートリッジを迅速に交換するようなことが可能となり、又さらに噴射部を使い捨て方式にしてカートリッジ交換を容易にすることも可能となる。
【００１４】
【発明の実施の形態】
以下、この発明の一実施例を図面を参照しながら説明する。図１は実施例に係るカートリッジタイプの噴射式注射器の外観を示す平面図、図２は実施例の噴射式注射器の内部を示す組立断面図、図３は実施例の噴射式注射器の内部を示す分解断面図である。
【００１５】
図１に示す実施例の噴射式注射器は、図２及び図３に示すように、注射する薬液を噴射する噴射コンポーネント１と注射に必要な操作を行う操作コンポーネント２とからなり、噴射コンポーネント１と操作コンポーネント２の間には両コンポーネント１，２を分離可能に結合する（詳しくは後述する）結合構造が設けられていて、普通、両コンポーネント１，２は、分離の必要がある時以外は結合状態に置かれており、また薬液が入っているカートリッジ３は噴射コンポーネント１の方に収容されて注射器に一体的に装填される構成となっている。この噴射コンポーネント１は、本発明における噴射部に相当して、操作コンポーネント２は、本発明における操作部に相当する。
【００１６】
噴射コンポーネント１は、図３に示すように、ステンレス製あるいはポリカーボネート樹脂等の硬質合成樹脂製の略円柱体であって、ジェット噴射口４とジェット噴射口４に連通するシリンダ５とを備えている。即ち、噴射コンポーネント１の先端中央においてジェット噴射口４がオリフィス状に形成されているとともに、噴射コンポーネント１の内部においてシリンダ５がジェット噴射口４から後ろへ軸方向に沿って長く延びるように形成されているのである。
【００１７】
また、噴射コンポーネント１は、薬液が入っているカートリッジ３を一本ずつ収容できる４つのカートリッジ収容用長孔６をカートリッジ収容部として備えている。即ち、図２及び図３ではカートリッジ収容用長孔６は２つしか図示されていないが、噴射コンポーネント１の側面寄りの位置において、周方向に沿って９０°の等間隔で並ぶ４つのカートリッジ収容用長孔６が軸方向に延びているとともに噴射コンポーネント１の後端面１Ａにカートリッジ収容用長孔６の一端側が開口するようにして形成している。また、各カートリッジ収容用長孔６に一本ずつカートリッジ３を開口から挿入することにより合計４本のカートリッジ３が収容装填されるように構成されている。このカートリッジ収容用長孔６は、本発明におけるカートリッジ収容部に相当する。
【００１８】
さらに、噴射コンポーネント１には、図３に示すように、一端がシリンダ５の側面に開口し他端側がカートリッジ収容用長孔６の前端内側に突出するようにして配設された薬液送出流路７が各カートリッジ収容用長孔６毎に一つずつ備えられている。カートリッジ収容用長孔６の前端内側に突出した薬液送出流路７の後端は針先のように鋭く尖っている。
【００１９】
カートリッジ３は、末端が開口している細長い透明容器３Ａの前記開口がシール用の後内栓３ａと後外栓３ｂとで閉塞され、内空間に薬液が封入されているとともに、ゴム質緩衝体８が先端側に取り付けられているのに加え、シール用の後内栓３ａと後外栓３ｂとは後ろから押されるとカートリッジ３の中を前方へ向かって移動してゆく構成になっている。
【００２０】
そして、カートリッジ３を収容する際は、ゴム質緩衝体８の側を先にしてカートリッジ収容用長孔６にカートリッジ３を挿入して一杯まで押し込む。カートリッジ３が収容用長孔６に一杯まで押し込まれると、薬液送出流路７の尖った後端がゴム質緩衝体８及び透明容器３Ａを貫通してカートリッジ３の内に侵入する結果、カートリッジ３とシリンダ５とが薬液送出流路７によって連結されることになる。
【００２１】
操作コンポーネント２は、いずれも両端面が開口している前側円筒（前側グリップピース）１１と後側円筒（後側グリップピース）１２とがネジ結合されてなるステンレス製あるいはポリカーボネート樹脂などの硬質合成樹脂製の円筒体１０を備え、前側円筒１１を把持したままで後側円筒１２を回転させることにより、後側円筒１２を軸方向に沿って往復移動させられる構成となっている。また、操作コンポーネント２は、円筒体１０の軸方向に往復移動可能に配設されているピストン移動用のロッド１３を備えている。
即ち、ロッド１３には先端にピストン９が連結されており、ロッド１３の往復移動に伴いピストン９がシリンダ５の内を前進及び後退するように構成されている。ピストン９は中間にシール部９ａ，９ｂを備えており、シリンダ５に気密に嵌め合われた状態を維持したまま前進及び後退することができる。
また、ロッド１３には、先端から全長の半分程度の長さのところへフランジ１４が一体的に設けられているとともに、後端近傍の周面へ後述するラッチボールが落ち込む複数個のラッチ孔１３ａが堀り込み形成されている。このロッド１３は、本発明におけるピストン移動手段部に相当する。
【００２２】
一方、後側円筒１２の内側には、図２または図３に示すように、厚肉部１５ａと、厚肉部１５ａから軸方向に沿って前側に長く延びる薄肉部１５ｂと、厚肉部１５ａから軸方向に沿って後側に少し延びる薄肉部１５ｃとからなる固定小筒１５が同軸かつ一体的に取り付けられている（固定されている）。そして、固定小筒１５の孔にはロッド１３の後端側が同軸で挿通されている。また、固定小筒１５の厚肉部１５ａの前側面とフランジ１４との間には、ロッド１３に通された強力な圧縮バネ１７が介設されていて、圧縮バネ１７によりロッド１３が前進方向（先端側）へ常に付勢された構成となっている。ただ、ロッド１３はフランジ１４が前側円筒１１の内側に設けられたストッパープレート１８に当たったところ（図２に示した状態）以上に前進しない構成となっている。
【００２３】
さらに、後側円筒１２の内側では、固定小筒１５の後側においてスライド小筒１６が軸方向に移動可能に内挿配設されている。このスライド小筒１６の後端面部１６ａがラッチ解除用ボタンとなっている。また、固定小筒１５の後端には可動小ピース１９が軸方向に移動可能に嵌め込まれており、かつ可動小ピース１９とスライド小筒１６の内面側との間に圧縮バネ２０が介設されている。そして、スライド小筒１６は圧縮バネ２０により常に後退方向へ付勢された構成となっている。ただ、スライド小筒１６は後退方向へ付勢されていても、ストッパーピース１２Ａに当たる位置以上には後退しない構成となっている。
【００２４】
また、固定小筒１５の後端段落部には周方向に貫通する小孔１５ｄが形成されている。各小孔１５ｄにラッチボール２１がそれぞれ嵌め込まれていて、スライド小筒１６の前端部内面がラッチボール２１の先に進出する。そして、圧縮バネ２０による付勢力によってスライド小筒１６がラッチボール２１と係止することにより、スライド小筒１６が後退しないように構成されている。即ち、図２の状態では、スライド小筒１６とラッチボール２１との係止により、スライド小筒１６や可動小ピース１９も後側円筒１２と一体化された状態にある。そして、前側円筒１１に後側円筒１２をネジ込んでゆけば、固定小筒１５〜ラッチボール２１までの部品が後側円筒１２と一緒に前進するという構成になっているのである。
【００２５】
一方、前側円筒１１の周面寄りの位置には、正逆回転させることができるダイヤル２２と、ダイヤル２２の回転により軸方向に沿って往復移動する薬液送出用のシャフト２３とが配設されている。図２に示す状態においてシャフト２３が前進するとカートリッジ３の後内栓３ａと後外栓３ｂとがシャフト２３の前進した分だけ前方に移動するとともに、両栓３ａ，３ｂの移動した分だけ薬液がカートリッジ３から薬液送出流路７へ流れ出す構成になっている。そして、図１に示すように、前側円筒１１のダイヤル２２の表面には、薬液の送出量を知る為のマークＭａ・目盛りＭｂが刻まれている。ダイヤル２２の回転量とシャフト２３の移動量とが正比例関係にある。またシャフト２３の移動量と薬液の送出量とが正比例関係にあって、薬液の送出量はダイヤル２２の回転量と正比例関係にあるので、注射を実行する者は、マークＭａに対する目盛りＭｂの移動状況を見ながら薬液の送出量がちょうど必要量となるようにダイヤル２２を回すことになる。このダイヤル２２とシャフト２３とは、本発明における薬液送出手段に相当する。
【００２６】
前述のように、噴射コンポーネント１と操作コンポーネント２とは分離しなければならない時以外は、普通、結合状態におかれるのであるが、続いて、両コンポーネント１，２を分離可能に結合する結合構造を説明する。即ち、実施例の噴射式注射器の場合、図４に示すように、操作コンポーネント２は前側円筒１１の先端側に一体的に設けられた係止筒２４を備えている。一方、図５に示すように、噴射コンポーネント１は後端面１Ａに開口するようにして設けられた係止孔２５を備えている。そして、断面円形の係止筒２４を断面円形の係止孔２５に差し込み係止することにより両コンポーネント１，２が結合される一方、係止筒２４を係止孔２５から外して抜き出すことにより両コンポーネント１，２が分離される構成となっている。なお、係止筒２４と係止孔２５とは、本発明における結合構造に相当する。以下、結合構造である係止筒２４と係止孔２５とについて具体的に説明する。
【００２７】
係止筒２４の外径は、係止筒２４が係止孔２５にきっちり嵌め合わされるよう係止孔２５の内径に略一致している。そして、図４（ａ），（ｂ）に示すように、係止筒２４の外周面には、軸方向沿いに全長にわたって延びる直線溝２４ａが９０°の等間隔で４つ形成されている。そして、図４（ｃ）に示す筒基部に比較的近い位置において円周方向を完全に巡る円環溝２４ｂが一つ形成されているのに加え、図４（ｄ）に示すように、筒基部に接する位置において円周方向を部分的に巡るとともに１本の直線溝２４ａと繋がっている円弧溝２４ｃが４つ形成されている。また、図５（ａ），（ｂ）に示すように、係止孔２５の内表面の開口側縁には内側へ突出するとともに溝２４ａ〜２４ｃに嵌まる寸法の突起２５ａが円周方向に沿って９０°の等間隔で４つ形成されている。
【００２８】
両コンポーネント１，２を結合する場合、図６（ａ）に示すように、係止筒２４の直線溝２４ａが係止孔２５の突起２５ａに向き合うよう位置を合わせてから係止筒２４を係止孔２５の奥へ挿入してゆく。そうすると、やがて図６（ｂ）に示すように、円環溝２４ｂの位置が突起２５ａを越えた後、図６（ｃ）に示すように、円弧溝２４ｃが突起２５ａに嵌まったところで噴射コンポーネント１の後端面１Ａに操作コンポーネント２の端面２Ａが当たるので係止筒２４の挿入は止められる。
【００２９】
そして、図６（ｃ）の状態において、噴射コンポーネント１ないし操作コンポーネント２を円周方向に回転させて円弧溝２４ｃにおける突起２５ａの位置を４５°ずらせ突起２５ａを円弧溝２４ｃの途切れ部２４ｄに当接させると、各突起２５ａは各円弧溝２４ｃの底面に当たって係止筒２４が軸方向へ動けなくなるので、ロック状態となって両コンポーネント１，２が結合されたことになる。なお両コンポーネント１，２がロック状態になった時に、各カートリッジ収容用長孔６の１つが丁度シャフト２３の先端と向き合うように溝・突起の位置・寸法が選定されている。
また、結合の時と逆の操作を行えば、係止筒２４が係止孔２５から外れて、両コンポーネント１，２を簡単に分離することができる。
【００３０】
さらに、突起２５ａが円環溝２４ｂの位置にある図６（ｂ）に示す状態では、突起２５ａを円環溝２４ｂに沿って円周方向へ向けて全周に渡って進ませることができるので、各突起２５ａが嵌まる直線溝２４ａ及び円弧溝２４ｃを変更することができる。したがって、ロック状態から図６（ｂ）の状態に戻しておいて、各突起２５ａが嵌まる直線溝２４ａ及び円弧溝２４ｃを変更して再びロック状態にすれば、シャフト２３の先端と向き合うカートリッジ収容用長孔６が変化することになる。つまり、シリンダへ薬液が送り込める位置にセットするカートリッジ３が変更できるのである。以上により、係止筒２４と係止孔２５とは、本発明におけるカートリッジ切換手段の機能をも備えていることになる。
【００３１】
なお、噴出コンポーネント２の側にある係止孔２５は、シリンダ５の後端に連通しており、結合・分離操作に伴ってピストン９がシリンダ５を出入りすることになるとともに、ロッド１３の先端側の一定長さ部分も係止孔２５を出入りすることになる。
【００３２】
続いて、上述した噴射式注射器により針無注射を実行する時の一連の操作の流れに即して、実施例の構成をより詳しく説明する。なお、以下の説明では、既に前記のようにして噴射コンポーネント１にカートリッジ３が収容されているとともに、噴射コンポーネント１と操作コンポーネント２が結合されている図２の状態にあるものとして説明する。
【００３３】
▲１▼  針無注射を行う場合、先ず前側円筒１１を一方の手で把持したまま他方の手で後側円筒１２を回転させ、前側円筒１１へ後側円筒１２をネジ込んで前進させてゆく。そうすると、スライド小筒１６はラッチボール２１に係止したまま固定小筒１５に引っ張られるかたちで前進してゆき、図７に示すように、やがてラッチボール２１がラッチ孔１５ｄに半ば落ち込むと同時に、圧縮バネ２０で後退方向に付勢されているスライド小筒１６が少し後ろに後退してラッチボール２１を横から押さえ続ける形となるので、ラッチボール２１がラッチ孔１５ｄから飛び出さずに、ロッド１３をラッチボール２１で固定小筒１５に係止させた状態が維持されることになる。
【００３４】
なお、噴射コンポーネント１と操作コンポーネント２とが結合されていて、ロッド１３が固定小筒１５に係止していない状態では、図２に示すようにピストン９の先端はシリンダ５の前端に位置しており、シリンダ５の内には空間が生じないように構成されている。また、上記のようにロッド１３をラッチボール２１で固定小筒１５に係止させただけでは、やはりピストン９の先端がシリンダ５の前端に位置しており、シリンダ５の内に空間は生じていない。
【００３５】
▲２▼  次に、前側円筒１１を一方の手で把持したまま他方の手で後側円筒１２を逆回転させて、図８に示すように、固定小筒１５に係止したロッド１３も引き連れて後退させながら前側円筒１１から後側円筒１２を退出させる。そうすると、後側円筒１２と共にロッド１３も圧縮バネ１７の力に打ち勝って後退するので、ロッド１３に連結されているピストン９も後退しピストン９の先端がシリンダ５の前端より後ろに下がり、シリンダ５の内の前側には空間が生じる。
なお、この時、シリンダ５の内に生じる空間の容積が注射する薬液の量よりも多めとなるように後側円筒１２を後退させるようにする。
【００３６】
▲３▼  ロッド１３の後退操作に続いて、ダイヤル２２を回転してシャフト２３を注入する薬液の量に見合う距離だけ前進させると、図９に示すように、カートリッジ３の中の薬液が薬液送出流路７からシリンダ５内の空間へ送り込まれる。シリンダ５の内の空間の容積は注射する薬液の量よりも多めであるので、シリンダ５の空間には薬液で満たされていない部分も少しは残る。
【００３７】
▲４▼  続いて、ジェット噴射口４を上に向けた状態で薬液がジェット噴射口４から僅かに外に漏れ出るまで後側円筒１２を前側円筒１１の内にねじ込む。そうすると、図１０に示すように、シリンダ５の内の空間は薬液で完全に満たされた状態となる。
【００３８】
▲５▼  そして、ジェット噴射口４を注射箇所に押し当てておいて、ラッチ解除用ボタンとなっているスライド小筒１６の後端面部１６ａを押す。そうすると、圧縮バネ２０が押し縮められるとともにスライド円筒１６が前進してラッチボール２１がラッチ孔１５ｄから飛び出すので、ロッド１３と固定小筒１５との係止が外れる。ロッド１３と固定小筒１５の係止が外れると、ロッド１３は強力な圧縮バネ１７の付勢力によってフランジ１４がストッパープレート１８に当たるところまで瞬間的（急速）に前進する。ロッド１３の急速前進に伴いピストン９も急速前進するのでシリンダ５の空間の薬液が加圧されてジェット噴射口４から噴出して皮下に注入される。なお、注射が終わった段階では、噴射式注射器は最初の図２の状態に戻る。
このようにして初回（第１回目）の針無注射が終わることになる。次回（第２回目）の針無注射を行う時は上記▲１▼〜▲５▼を繰り返し行う。
【００３９】
なお、噴射コンポーネント１に予備のカートリッジ３が収容されている場合、一本のカートリッジ３を使い切ると、ダイアル２２を逆回転させてシャフト２３を操作コンポーネント２の側へ完全に後退させておいてから、両コンポーネント１，２をロック状態から図６（ｂ）の状態に移行させて各突起２５ａが嵌まる直線溝２４ａ及び円弧溝２４ｃを変更して再びロック状態にすることにより、シャフト２３の先端と向き合うカートリッジを未使用のカートリッジ３に変更し、針無注射を続けられるようにする。
【００４０】
また、噴射コンポーネント１に薬液の種類の異なるカートリッジ３が収容されている場合、例えば、朝食，昼食，夕食の３０分前は速効型インスリンを注射し、就寝前は中間型インスリンを注射するというように、薬液の種類の異なるカートリッジ３を使い分ける必要がある時には、上と同様にして速効型インスリンが入っているカートリッジ３から中間型インスリンが入っているカートリッジ３に変更したり、逆に中間型インスリンが入っているカートリッジ３から速効型インスリンが入っているカートリッジ３に変更したりして適当な薬液を注射する。
【００４１】
さらに、全カートリッジ３の薬液を使い切ったなどの場合は、両コンポーネント１，２を分離しておいてから、カートリッジ収容用長孔６へ新しい（未使用の）カートリッジ３を収容してから両コンポーネント１，２を再結合するか、新しいカートリッジ３が予め収容されている別のスペア用の噴射コンポーネント１を操作コンポーネント２へ結合して、注射が行えるようにする。
【００４２】
以上に述べたように、実施例の噴射式注射器はカートリッジタイプであるので、針無注射を行う度に別体の薬液バイアルから注射器内に薬液を吸引する操作が不要である。また、注射器または薬液バイアルの何れか一方だけを携帯して他方を携帯し忘れることもなくなる。さらに、予備のカートリッジ３や違う薬液の入っているカートリッジ３が一度に収容装填できるので、カートリッジの薬液が途中で切れたり、或いは、種類の違う薬液が必要な場合でも、予備のカートリッジや種類の違う薬液の入っているカートリッジをシリンダへ薬液が送り込める位置にセットして速やかに対応できる。
【００４３】
また、実施例の噴射式注射器の場合、複数のカートリッジ３の一体的な装填・離脱が噴射部と操作部との結合・分離操作だけで一挙に行えるので、例えば、複数本のカートリッジ３が収容されている噴射コンポーネント１だけを予め準備しておき、古い噴射コンポーネント１を新しい噴射コンポーネント１に付け替えるだけでカートリッジ３を迅速に交換するというようなことが可能となる。さらに噴射コンポーネント１を使い捨て方式にしてカートリッジ交換を非常に容易にすることも可能となる。噴射コンポーネント１が使い捨て方式である場合、或る期間が経過する毎に新しい噴射コンポーネント１に更新されるので、薬液送出流路７の目詰まりや噴射コンポーネント１の汚損の心配が少なくなる。
【００４４】
さらに、噴射コンポーネント１が透明材料からなる場合には、シリンダ５への薬液充填状況やカートリッジ３の中の薬液残量を常に目で確かめることができるので非常に便利である。
加えて、実施例の噴射式注射器の場合、シリンダ５へ薬液が送り込める位置にセットされたカートリッジ３を他のカートリッジ３に切り換えるだけで、噴射コンポーネント１に複数本のカートリッジを全て収容したままで噴射コンポーネント１に収容されている複数本のカートリッジ３の間でカートリッジを簡単に変えることができる。
【００４５】
この発明は上記実施の形態に限られることはなく、下記のように変形実施することができる。
（１）実施例の噴射式注射器の場合、噴射コンポーネント１に収容されているカートリッジは全て薬液送出流路７を介してシリンダ５と繋がっていたが、噴射コンポーネント１に収容されているカートリッジのうち１本だけが薬液送出流路７を介してシリンダ５と繋がっており、他のカートリッジは薬液送出流路が接続されておらず、単に予備のカートリッジとして収容されているだけで、予備のカートリッジを使用する時は、予備のカートリッジをカートリッジ収容用長孔６からいったん取り出して使用済のカートリッジと取り替える構成の噴射式注射器が、変形例として挙げられる。
【００４６】
（２）実施例の噴射式注射器の場合、噴射コンポーネント１に収容されているカートリッジの数は４本であったが、噴射コンポーネント１に収容されているカートリッジの数は２本以上であればよく特定の本数に限定されない。
【００４７】
（３）実施例の噴射式注射器の場合、ピストンは操作コンポーネント２の側に設けられていたが、ピストンは噴射コンポーネント１の側に設けられていてもよい。噴射コンポーネント１が使い捨て方式の場合には、ピストンは噴射コンポーネント１の側に設けられている方が衛生面の上で好ましい。
【００４８】
（４）実施例の噴射式注射器では、ダイアル２２とシャフト２３とからなる薬液送り込み機構がひとつだけ設けられている構成であったが、薬液送り込み機構が複数個、例えば各カートリッジそれぞれに１個ずつ設けられている構成であってもよい。
【００４９】
（５）実施例の場合、シリンダ５に送り込まれる薬液が１種類であったが、シリンダ５へ複数種類の薬液が送り込まれて混合された後、注射されるようであってもよい。この場合、ダイアル２２とシャフト２３からなる薬液送り込み機構が複数のカートリッジ３に対して設けられていれば、複数種類の薬液を速やかにシリンダ内へ送り込むことができる。
【００５０】
（６）実施例では、薬液としてインスリンを例示したが、この発明が対象とする薬液はインスリンに限らないことは言うまでもない。
【００５１】
【発明の効果】
以上に述べたように、請求項１の発明の噴射式注射器によれば、注射器と薬液容器とが一体化されるカートリッジタイプであるので、針無注射の度に別体の薬液バイアルから注射器内に薬液を吸引する操作が不要である。また、注射器または薬液バイアルの何れか一方だけを携帯して他方を携帯し忘れることもない。さらに、複数本のカートリッジが収容できるとともに、収容されたカートリッジをシリンダへ薬液が送り込める位置にセットすることができる構成となっていて、予備のカートリッジ或いは種類の違う薬液の入っているカートリッジも注射器に一体的に装填させることができるので、カートリッジの薬液が途中で切れたり、或いは、種類の違う薬液が必要な場合でも、予備のカートリッジや種類の違う薬液の入っているカートリッジをシリンダへ薬液が送り込める位置にセットして速やかに対応することができ、使用者にとって非常に便利な針無注射方式を提供することができる。
【００５２】
さらに、複数のカートリッジの一体的な装填・離脱が噴射部と操作部との結合・分離操作だけで一挙に行える構成となっており、例えば、カートリッジ収容部に複数本のカートリッジが収容されている噴射部だけを予めスペアとして準備しておき、古い噴射部を新しい噴射部に付け替えるだけでカートリッジを迅速に交換するというようなことが可能となる。さらに噴射部を使い捨て方式にしてカートリッジ交換を非常に容易にすることも可能となるので、より便利な針無注射方式を提供することができる。
【００５３】
さらに、カートリッジ収容部に全てのカートリッジを収容したままでシリンダへ薬液が送り込める位置にセットされたカートリッジを他のカートリッジに変更できる構成となっており、カートリッジ収容部に収容されている複数本のカートリッジの間で使用するカートリッジを簡単に変えられるので、より便利な針無注射方式を提供することができる。
【図面の簡単な説明】
【図１】実施例の噴射式注射器の外観を示す平面図である。
【図２】実施例の噴射式注射器の内部を示す組立断面図である。
【図３】実施例の噴射式注射器の内部を示す分解断面図である。
【図４】実施例の注射器のコンポーネント同士の結合構造の操作コンポーネント側の  構成を示す説明図である。
【図５】実施例の注射器のコンポーネント同士の結合構造の噴射コンポーネント側の  構成を示す説明図である。
【図６】実施例の注射器のコンポーネント同士の結合過程を示す模式図である。
【図７】実施例の注射器におけるロッドのラッチ状況を示す断面図である。
【図８】実施例の注射器におけるロッドとピストンの後退状況を示す断面図である。
【図９】実施例の注射器における薬液送出状況を示す断面図である。
【図１０】実施例の注射器におけるシリンダ内の薬液充填状況を示す断面図である。
【符号の説明】
１        …噴射コンポーネント
２        …操作コンポーネント
３        …カートリッジ
４        …ジェット噴射口
５        …シリンダ
６        …カートリッジ収容用長孔
７        …薬液送出流路
１３      …ロッド
２２      …ダイアル
２３      …シャフト
２４      …係止筒
２４ａ    …直線溝
２４ｂ    …環状溝
２４ｃ    …円弧溝
２５      …係止孔
２５ａ    …突起
【図１】
0004699588.tif 000002
【図２】
0004699588.tif 000003
【図３】
0004699588.tif 000004
【図４】
0004699588.tif 000005
【図５】
0004699588.tif 000006
【図６】
0004699588.tif 000007
【図７】
0004699588.tif 000008
【図８】
0004699588.tif 000009
【図９】
0004699588.tif 000010
【図１０】
0004699588.tif 000011